【事件の表示】
　特許第３２６４８８６号「おしゃれ増毛装具」の請求項１、２、４、５に係る特許に対する特許異議の申立てについて、次のとおり決定する。
【結　論】
　特許第３２６４８８６号の請求項１、２、４に係る特許を取り消す。
　同請求項５に係る特許を維持する。
【理　由】
第１　手続の経緯
　特許第３２６４８８６号の請求項１ないし５に係る発明は、平成１０年７月１７日に特許出願され、平成１３年１２月２８日にその特許権の設定登録がされ、その後特許異議申立人榎光子により請求項１に係る発明の特許に対して、特許異議申立人井手由記子により請求項１、２、４及び５に係る発明の特許に対して、それぞれ特許異議の申立てがなされ、取消しの理由が通知され、その指定期間内である平成１５年１月３１日に訂正請求がなされた後、訂正拒絶理由が通知され、平成１５年５月１３日に手続補正がなされたものである。
　
第２ 　訂正の適否についての判断
１　訂正請求に対する補正の適否について
　当該訂正請求に対する補正は、訂正請求書第２頁第４行〜第２５行記載の請求項２に関する訂正事項について、請求項２を削除するように訂正事項の補正をし、かつ、請求項３を削除する訂正事項を新たに含むように補正をし、訂正請求書第２頁第２８行〜第３頁第８行記載の請求項５に関する訂正事項について、請求項５を請求項２と繰り上げると共に、引用する請求項を請求項１とするように補正をし、訂正請求書第３頁第９行〜第４頁第２３行記載の課題を解決するための手段に関する訂正事項について、上記特許請求の範囲の訂正に基づく記載となるように補正をするものである。
　このうち、請求項２を削除する補正事項は、請求項２に関する補正前の訂正事項を変更するものであり、また、請求項３を削除する補正事項は、新たな訂正事項を追加するものであるから、上記補正事項は、訂正請求書の要旨を変更するものである。
　したがって、上記補正事項を含む当該補正は、特許法第１２０条の４第３項において準用する同法第１３１条第２項の規定に適合しない。
　よって、当該補正は認められない。
　
２　訂正の内容
　そうすると、特許権者が訂正請求で求める訂正の内容は、以下の訂正事項ａ〜ｅに示すとおりのものである。
（１）訂正事項ａ
　設定登録時の願書に添付した明細書又は図面（以下、「本件特許明細書」という。）の特許請求の範囲の請求項１の「【請求項１】おしゃれ用として自毛に変わり色の人工毛を混在させて用いるため又は増毛用として薄くなった自毛に自毛と同色の人工毛を混在させて用いるためのおしゃれ増毛装具であって、複数の止め具と、該止め具を備えた保持部材と、該保持部材に一端を保持され該保持部材に所定の間隔で並設された複数の弾性線状部材と、少なくとも前記弾性線状部材に植設された人工毛と、を有することを特徴とするおしゃれ増毛装具。」を、「【請求項１】おしゃれ用として自毛に変わり色の人工毛を混在させて用いるため又は増毛用として薄くなった自毛に自毛と同色の人工毛を混在させて用いるためのおしゃれ増毛装具であって、自毛を直接挟み込んで自毛の毛流れ方向上流側に固定するための複数の止め具と、前記止め具を備えた細長い長方形の板状体に形成された保持部材と、該保持部材に一端を保持され、櫛又はブラシで自毛の毛流れ方向下流側から上流側へ梳き上げることにより自毛を容易に外へ引き出せる間隔で並設された複数の弾性線状部材と、少なくとも前記弾性線状部材に植設された人工毛と、を有することを特徴とするおしゃれ増毛装具。」と訂正する。
（２）訂正事項ｂ
　本件特許明細書の特許請求の範囲の請求項２の「【請求項２】おしゃれ用として自毛に変わり色の人工毛を混在させて用いるため又は増毛用として薄くなった自毛に自毛と同色の人工毛を混在させて用いるためのおしゃれ増毛装具であって、複数の止め具と、該止め具を備えた複数の保持部材と、該複数の保持部材に両端部を保持され該複数の保持部材に所定の間隔で並設された複数の弾性線状部材と、少なくとも前記弾性線状部材に植設された人工毛と、を有することを特徴とするおしゃれ増毛装具。」を、「【請求項２】おしゃれ用として自毛に変わり色の人工毛を混在させて用いるため又は増毛用として薄くなった自毛に自毛と同色の人工毛を混在させて用いるためのおしゃれ増毛装具であって、自毛を直接挟み込んで自毛の毛流れ方向上流側に固定するための複数の止め具と、前記止め具を備えた細長い長方形の板状体に形成された保持部材と、該保持部材と他の保持部材により両端部を保持され、櫛又はブラシで自毛の毛流れ方向下流側から上流側へ梳き上げることにより自毛を容易に外へ引き出せる間隔で並設された複数の弾性線状部材と、少なくとも前記弾性線状部材に植設された人工毛と、を有することを特徴とするおしゃれ増毛装具。」と訂正する。
（３）訂正事項ｃ
　本件特許明細書の特許請求の範囲の請求項４を削除する。
（４）訂正事項ｄ
　本件特許明細書の特許請求の範囲の請求項５の「【請求項５】前記複数の弾性線状部材は、人の頭部の曲面に対応する曲形を有し且つ頭部の曲面に沿って横にうねる形状を有することを特徴とする請求項１、２、３又は４記載のおしゃれ増毛装具。」を、「【請求項４】前記複数の弾性線状部材は、人の頭部の曲面に対応する曲形を有し且つ頭部の曲面に沿って横にうねる形状を有することを特徴とする請求項１、２又は４記載のおしゃれ増毛装具。」と訂正する。
（５）訂正事項ｅ
　本件特許明細書の課題を解決するための手段の「以下に、本発明のおしゃれ増毛装具の構成を述べる。
　先ず、請求項１記載のおしゃれ増毛装具は、おしゃれ用として自毛に変わり色の人工毛を混在させて用いるため又は増毛用として薄くなった自毛に自毛と同色の人工毛を混在させて用いるためのおしゃれ増毛装具であって、複数の止め具と、該止め具を備えた保持部材と、該保持部材に一端を保持され該保持部材に所定の間隔で並設された複数の弾性線状部材と、少なくとも上記弾性線状部材に植設された人工毛と、を有して構成される。
　次に、請求項２記載のおしゃれ増毛装具は、おしゃれ用として自毛に変わり色の人工毛を混在させて用いるため又は増毛用として薄くなった自毛に自毛と同色の人工毛を混在させて用いるためのおしゃれ増毛装具であって、複数の止め具と、該止め具を備えた複数の保持部材と、該複数の保持部材に両端部を保持され該複数の保持部材に所定の間隔で並設された複数の弾性線状部材と、少なくとも上記弾性線状部材に植設された人工毛と、を有して構成される。そして、上記複数の弾性線状部材は、例えば請求項３記載のように、一端を１つの保持部材に支持され他端を複数の保持部材により分割されて保持されて構成される。
　また、上記複数の弾性線状部材は、例えば請求項４記載のように、上記保持部材に保持される端部の先端が上記保持部材よりも外側に突出して配置されるように構成され、また、例えば請求項５記載のように、人の頭部の曲面に対応する曲形を有し且つ頭部の曲面に沿って横にうねる形状を有して構成される。」を、「以下に、本発明のおしゃれ増毛装具の構成を述べる。
　先ず、請求項１記載のおしゃれ増毛装具は、おしゃれ用として自毛に変わり色の人工毛を混在させて用いるため又は増毛用として薄くなった自毛に自毛と同色の人工毛を混在させて用いるためのおしゃれ増毛装具であって、自毛を直接挟み込んで自毛の毛流れ方向上流側に固定するための複数の止め具と、上記止め具を備えた細長い長方形の板状体に形成された保持部材と、該保持部材に一端を保持され、櫛又はブラシで自毛の毛流れ方向下流側から上流側へ梳き上げることにより自毛を容易に外へ引き出せる間隔で並設された複数の弾性線状部材と、少なくとも上記弾性線状部材に植設された人工毛と、を有して構成される。
　次に、請求項２記載のおしゃれ増毛装具は、おしゃれ用として自毛に変わり色の人工毛を混在させて用いるため又は増毛用として薄くなった自毛に自毛と同色の人工毛を混在させて用いるためのおしゃれ増毛装具であって、自毛を直接挟み込んで自毛の毛流れ方向上流側に固定するための複数の止め具と、上記止め具を備えた細長い長方形の板状体に形成された保持部材と、該保持部材と他の保持部材に両端部を保持され、櫛又はブラシで自毛の毛流れ方向下流側から上流側へ梳き上げることにより自毛を容易に外へ引き出せる間隔で並設された複数の弾性線状部材と、少なくとも上記弾性線状部材に植設された人工毛と、を有して構成される。
　上記複数の弾性線状部材は、例えば請求項３記載のように、一端を１つの保持部材に支持され他端を複数の保持部材により分割されて保持されて構成され、また、例えば請求項４記載のように、人の頭部の曲面に対応する曲形を有し且つ頭部の曲面に沿って横にうねる形状を有して構成される。」と訂正する。
　
３　訂正の目的の適否、新規事項の有無及び拡張・変更の存否
（１）訂正事項ｂについて
　上記訂正事項ｂは、訂正前の請求項２に係る発明が、複数の保持部材は何れも止め具を備えていたものとされていたのを、一方の保持部材だけは止め具を備えているものの、他方の保持部材については止め具を備えているとの限定を除くものとしたものであるから、実質上特許請求の範囲を拡張、又は変更するものであり、かつ、特許請求の範囲の減縮、誤記の訂正、明りょうでない記載の釈明のいずれにも該当しない。
（２）訂正事項ｄについて
　訂正事項ｄは、訂正前の請求項５を請求項４に繰り上げ、訂正前の請求項５の「請求項１、２、３又は４記載のおしゃれ増毛装具」を、訂正後の請求項４の「請求項１、２又は４記載のおしゃれ増毛装具」としたものであるが、請求項４が請求項４自体を引用するものとなって、明りょうでない記載の釈明となっておらず、かつ、特許請求の範囲の減縮、誤記の訂正のいずれにも該当しない。
（３）むすび
　したがって、上記訂正事項ｂ及びｄを含む当該訂正は、特許法第１２０条の４第３項で準用する同法第１２６条第３項及び同法第１２０条の４第２項ただし書きの規定に適合しない。
　よって、当該訂正は認められない。
　
第３　特許異議申立てについての判断
１　本件発明
　特許第３２６４８８６号の請求項１ないし５に係る発明（以下、それぞれ「本件発明１ないし５」という。）は、本件特許明細書の特許請求の範囲の請求項１ないし５に記載された事項により特定される以下のとおりのものである。
「【請求項１】おしゃれ用として自毛に変わり色の人工毛を混在させて用いるため又は増毛用として薄くなった自毛に自毛と同色の人工毛を混在させて用いるためのおしゃれ増毛装具であって、複数の止め具と、該止め具を備えた保持部材と、該保持部材に一端を保持され該保持部材に所定の間隔で並設された複数の弾性線状部材と、少なくとも前記弾性線状部材に植設された人工毛と、を有することを特徴とするおしゃれ増毛装具。
【請求項２】おしゃれ用として自毛に変わり色の人工毛を混在させて用いる
ため又は増毛用として薄くなった自毛に自毛と同色の人工毛を混在させて用いるためのおしゃれ増毛装具であって、複数の止め具と、該止め具を備えた複数の保持部材と、該複数の保持部材に両端部を保持され該複数の保持部材に所定の間隔で並設された複数の弾性線状部材と、少なくとも前記弾性線状部材に植設された人工毛と、を有することを特徴とするおしゃれ増毛装具。
【請求項３】前記複数の弾性線状部材は、一端を１つの保持部材に支持され他端を複数の保持部材により分割されて保持されることを特徴とする請求項２記載のおしゃれ増毛装具。
【請求項４】前記複数の弾性線状部材は、前記保持部材に保持される端部の先端が前記保持部材よりも外側に突出して配置されることを特徴とする請求項１、２又は３記載のおしゃれ増毛装具。
【請求項５】前記複数の弾性線状部材は、人の頭部の曲面に対応する曲形を有し且つ頭部の曲面に沿って横にうねる形状を有することを特徴とする請求項１、２、３又は４記載のおしゃれ増毛装具。」
　
２ 特許異議申立ての理由の概要
（１）特許異議申立人榎光子
　特許異議申立人榎光子は、証拠として甲第１号証（実願昭５９−２４４号（実開昭６０−１１３３２１号）のマイクロフィルム）及び甲第２号証（特開昭６２−２８２００９号公報）を提出し、請求項１に係る発明の特許は特許法第２９条第１項第３号に規定する発明に該当し、または特許法第２９条第２項の規定に違反してなされたものであるから、請求項１に係る発明の特許を取り消すべき旨主張している。
（２） 特許異議申立人井出由記子
　特許異議申立人井手由記子は、証拠として甲第１号証（実願昭５９−２４４号（実開昭６０−１１３３２１号）のマイクロフィルム）、甲第２号証（特開平１０−７７５１４号公報）、甲第３号証（ドイツ国特許出願公開明細書第１９３５２０９号，和訳文有り）、甲第４号証（特開昭６２−２０６００６号公報）及び甲第５号証（実公昭３５−２２２２７号公報）を提出し、請求項１、２、４及び５に係る発明の特許は特許法第２９条第２項の規定に違反してなされたものであるから、請求項１、２、４及び５に係る発明の特許を取り消すべき旨主張している。
　
３　取消しの理由の概要
　取消しの理由の概要は、本件出願の請求項１、２、４に係る発明は、その出願前日本国内または外国において頒布された刊行物１（実願昭５９−２４４号（実開昭６０−１１３３２１号）のマイクロフィルム）、刊行物２（特開平１０−７７５１４号公報）、刊行物３（ドイツ国特許出願公開明細書第１９３５２０９号）及び刊行物４（特開昭６２−２０６００６号公報）に記載された発明に基づいて、その出願前にその発明の属する技術の分野における通常の知識を有する者が容易に発明をすることができたものであるから、その特許は、特許法第２９条第２項の規定に違反してされたものである、というにある。
　
４　引用刊行物及び特許異議申立人井出由記子が提出した甲第５号証記載の発明（事項）
　当審が通知した取消しの理由に引用された刊行物１ないし４及び特許異議申立人井出由記子が提出した甲第５号証には、以下の事項が記載されていると認める。
（１）刊行物１
ア　明細書第１頁第１６行〜第２頁第５行
「（１）のくしに（２）の人毛（その他合成毛）を取り付けたものを直接自分の髪に挿し、自髪とこのかつらをうまくとかして髪を増やそうとするものである。かつらの毛の色及び毛の質は自分の髪の毛に合わせ、又、自髪の薄い箇所の大きさにより、このかつらのくしの縦横の長さ及び取り付けた毛の量及び毛の長さを調整することにより、より自然に見せることが出来る。」
イ　明細書第２頁第７行〜第１０行
「更により強く固定するため、くしの中程の一本を長くし先を（３）のピン状にし、このピンを自髪にとめる。又、くしの歯の途中にバネを作り、そのバネの中に自髪をはさむこともできる。」
ウ　明細書第２頁第１１行〜第１７行
「このかつらの取付使用法は　（ａ）バックの場合　自分の髪を１ｃｍ前後前に残し、普通のくしと同じ要領でバックに挿し込み、その挿し込んだ土台を押さえて固定し、前に残してあった自髪と一諸にブラシでうまく解かして全部自分の髪のように見せる。」
　したがって、刊行物１には、以下の発明が記載されているものと認める。
　増毛用として薄くなった自髪に自髪と同色の合成毛（２）を混在させて用いるためのかつらであって、自髪を直接挟み込んで自髪の毛流れ方向に固定するためのピン（３）又はバネと、土台と、土台に一端を保持され、並設された複数のくしの歯（１）と、少なくともくしの歯（１）に植設された合成毛（２）と、を有するかつら
（２）刊行物２
エ　公報第２頁第２欄第４９行〜第３頁第３欄第６行
「図１は、本発明を適用したかつら（部分かつら）を裏返した状態で示す説明図である。・・ネット状の台１１には、それを頭部に止めるための櫛状の留め具１３が取り付けられている。」
オ　図１
　図１には、多数の毛髪１２が延びている多数の線状体１１０を支持する縁部分１１１に、４つの留め具１３を取り付けたかつら１０が記載されているものと認められる。
（３）刊行物３
カ　明細書第２頁第１１行〜第１５行（和訳文第３頁第１行〜第４行参照）
「本発明によれば、毛髪は、被覆され、細長く弾性のあるベンド１乃至４に固定されており、そのむき出しの端部５乃至１２が、二つのＷ形の平坦で且つ外側が毛髪により覆われた保持部１３乃至１６の、放射状に耳部から出ている袋部内に差し込まれている。」
（４）刊行物４
キ　公報第２頁左上欄第１３行〜同頁右上欄第１７行
「頭の中心部にまばらな自然の毛髪があり、その外側部に普通の状態で自然の毛髪がある該頭（Ａ）において、かつら（５）をそのベース（１）において前記外側部の自然の毛にストッパーその他の手段により装着し、平行する線状体（３）・・（３）の個所においてこれら線状体（３）・・（３）と同一の第１図の矢印の方向に櫛ですくと頭（Ａ）の中心部のまばらな自然の毛髪（Ｂ）がこれら線状体（３）・・（３）の間を通って外方に出し、これら自然の毛髪（Ｂ）と線状体（３）・・（３）に結着した毛髪（２）とが合算して全体的に釣合った毛髪の量になる。ここで線状体（３）・・（３）は平行になっておりこの平行な線状体（３）・・（３）の方向に櫛をすくために櫛歯が何らひっかかることなく容易に自然の毛髪（Ｂ）を線状体（３）・・（３）間からすき出すことができる。又頭の前方部においても自然の毛髪がまばらな場合に、ベース（１）の前方部の櫛歯状の突片（４）・・（４）の個所においても前述と同様に櫛により自然の毛髪（Ｂ）を突片（４）・・（４）間を通して外方に出しこれら自然の毛髪（Ｂ）と突片（４）・・（４）に結着した毛髪（２）を合算させて普通の毛髪状態にする。」
（５）甲第５号証
ク　公報第１頁左欄第６行〜第１２行
「本案は婦人の頭髪に又は服装に着脱自在に取付けて使用する飾りに関するもので、・・横長の主片１に櫛歯状に数本の歯杆３を固着し、・・毛束Ａとなしたものを前記の主片１に長手方向に結着して成る構造に係るものである。」
ケ　第１図
　第１図には、頭髪に挿す櫛歯状の歯杆３を横にうねる形状とした、頭髪又は服装用飾りが記載されているものと認められる。
　
５ 対比・判断
（１）本件発明１について
　本件発明１と、刊行物１記載の発明とを対比すると、刊行物１記載の発明の「自髪」、「合成毛」は、本件発明１の「自毛」、「人工毛」にそれぞれ相当することは明らかであり、また、刊行物１記載の発明の「かつら」、「ピン又はバネ」、「土台」、「くしの歯」は、その技術的意義からみて、本件発明１の「おしゃれ増毛装具」、「止め具」、「保持部材」、「線状部材」にそれぞれ相当する。
　してみると、両者の一致点及び相違点は、以下のとおりである。
＜一致点＞
　増毛用として薄くなった自毛に自毛と同色の人工毛を混在させて用いるためのおしゃれ増毛装具であって、止め具と、保持部材と、保持部材に一端を保持され該保持部材に所定の間隔で並設された複数の線状部材と、少なくとも前記線状部材に植設された人工毛と、を有するおしゃれ増毛装具。
＜相違点１＞
　本件発明１では、「止め具」が、「保持部材」に備えられ、複数設けられているのに対し、刊行物１記載の発明では、そのようになっていない点。
＜相違点２＞
　本件発明１では、「線状部材」が、弾性を有するのに対し、刊行物１記載の発明では、くしの歯が、弾性を有するかどうか不明である点。
　上記相違点１及び２について、以下検討する。
＜相違点１について＞
　刊行物２には、毛髪が延びている線状体を支持する縁部分に留め具を複数設けることが記載されており、刊行物１記載の発明のピン又はバネが、土台をより強く固定するために設けられたものである以上、上記ピン又はバネに刊行物２記載の事項を適用し、かかる相違点１のごとくなすことが、当業者にとって格別困難なものと認めることができない。
＜相違点２について＞
　毛髪が固定される細長いベンド１乃至４を弾性のあるもので構成することが刊行物３に記載されており、刊行物１記載の発明であるくしが、かつらとして頭部に装着して使用するものであることを考慮すると、くしの材質として、頭部の曲面に沿った形となるよう、刊行物３記載のようなある程度変形可能な弾性のある部材を有するものを用いることは、当業者であれば容易に想到しうるものと認められる。
　そして、本件発明１の効果は、上記刊行物１に記載された発明及び刊行物２ないし３に記載された事項から、当業者であれば予測できる程度のものであって格別なものとはいえない。
　したがって、本件発明１は、上記刊行物１に記載された発明及び刊行物２ないし３に記載された事項に基いて当業者が容易に発明をすることができたものである。
　
（２）本件発明２について
　本件発明２と、刊行物１記載の発明とを対比すると、刊行物１記載の発明の「自髪」、「合成毛」は、本件発明２の「自毛」、「人工毛」にそれぞれ相当することは明らかであり、また、刊行物１記載の発明の「かつら」、「ピン又はバネ」、「土台」、「くしの歯」は、その技術的意義からみて、本件発明２の「おしゃれ増毛装具」、「止め具」、「保持部材」、「線状部材」にそれぞれ相当する。
　してみると、両者の一致点及び相違点は、以下のとおりである。
＜一致点＞
　増毛用として薄くなった自毛に自毛と同色の人工毛を混在させて用いるためのおしゃれ増毛装具であって、止め具と、保持部材と、保持部材に一端を保持され該保持部材に所定の間隔で並設された複数の線状部材と、少なくとも前記線状部材に植設された人工毛と、を有するおしゃれ増毛装具。
＜相違点１＞
　本件発明２では、複数の「止め具」が備えられた「保持部材」が複数であって、「線状部材」が複数の保持部材に両端部を保持されているのに対し、刊行物１記載の発明では、そのようになっていない点。
＜相違点２＞
　本件発明２では、「線状部材」が、弾性を有するのに対し、刊行物１記載の発明では、くしの歯が、弾性を有するかどうか不明である点。
　上記相違点１及び２について、以下検討する。
＜相違点１について＞
　刊行物３には、毛髪が固定される細長く弾性のあるベンド１乃至４の端部５乃至１２をそれぞれ保持部１３乃至１６で保持することが記載されており、固定する部材としてピン又はバネが設けられている刊行物１記載の発明において、自由端となっているくしの歯の他端にも保持部を設けることは、刊行物３の記載から、当業者であれば容易になしえたものと認められる。また、刊行物１記載の発明のくしをより強く固定することを目的として、土台や他端の保持部に複数の固定部材を設けることは、上記５．１＜相違点１について＞でみたとおり、刊行物２の記載から、当業者に格別困難なものと認められない。
＜相違点２について＞
　上記５．１＜相違点２について＞でみたとおり、刊行物１記載の発明において、くしの材質として、頭部の曲面に沿った形となるようある程度変形可能な弾性を有するものを用いることは、刊行物３の記載から、当業者であれば容易に想到しうるものと認められる。
　そして、本件発明２の効果は、上記刊行物１に記載された発明及び刊行物２ないし３に記載された事項から、当業者であれば予測できる程度のものであって格別なものとはいえない。
　したがって、本件発明２は、上記刊行物１に記載された発明及び刊行物２ないし３に記載された事項に基いて当業者が容易に発明をすることができたものである。
　
（３）本件発明４について
　本件発明４は、本件発明１、２又は３の発明特定事項に加え、「複数の弾性線状部材は、保持部材に保持される端部の先端が保持部材よりも外側に突出して配置されること」をその発明特定事項として含むものである。
　そこで、本件発明４における発明特定事項について検討するに、頭の前方部も自然の毛髪がまばらである場合を考慮して、毛髪（Ｂ）が結着した櫛歯状の突片（４）・・（４）をベース（１）の前方部にも設けることは刊行物４に記載されている。同様の課題は刊行物１記載の発明にも内在していることを考えると、上記５．１又は５．２における理由と同様の理由に加えて、刊行物４記載の事項を刊行物１記載の発明に適用し、本件発明１又は２を発明特定事項として含む本件発明４のごとくなすことは、当業者であれば容易になし得るものと認められる。
　そして、上記本件発明４の効果は、上記刊行物１に記載された発明及び刊行物２ないし４に記載された事項から、当業者であれば予測できる程度のものであって格別なものとはいえない。
　したがって、本件発明４は、本件発明１又は２を発明特定事項として含む限りにおいて、上記刊行物１に記載された発明及び刊行物２ないし４に記載された事項に基いて当業者が容易に発明をすることができたものである。
　
（４）本件発明５について
　本件発明５は、本件発明１、２、３又は４の発明特定事項に加え、「複数の弾性線状部材は、人の頭部の曲面に対応する曲形を有し且つ頭部の曲面に沿って横にうねる形状を有すること」をその発明特定事項として含むものである。
　これに対し、本件発明５の止め具に相当する歯杆３を、横にうねる形状とすることが甲第５号証に記載されていると認められるものの、上記発明特定事項における、人工毛が植設された複数の弾性線状部材を頭部の曲面に沿って横にうねる形状とした構成は、刊行物１ないし４及び甲第５号証のいずれにも、記載も示唆もされていない。そして、本件発明５は、上記発明特定事項を含むことにより、本件特許明細書段落【００３３】記載の「横にうねった弾性線状部材１３’に人工毛が植設されるので人工毛が不自然に分かれることがなく自毛と良く混在する。」という格別の作用効果が奏されるものと認められる。
　してみると、本件発明５は、上記刊行物１ないし４及び甲第５号証に記載された発明又は事項に基いて当業者が容易に発明できたものではない。
　
６　むすび
　以上のとおりであるから、本件発明１、本件発明２及び本件発明４の特許は、特許法第２９条第２項の規定に違反してされたものであるから、特許法第１１３条第２号に該当し、取り消すべきものである。
　そして、本件発明５の特許は、特許異議申立ての理由及び証拠によっては取り消すことはできない。
　また、他に本件発明５の特許を取り消すべき理由を発見しない。
　よって、結論のとおり決定する。
【異議決定日】
平成１５年８月２７日（２００３．８．２７）